(57)【特許請求の範囲】
【請求項１】
側溝、暗渠、流雪溝等の溝の開口を開閉するために当該開口に枢支される蓋体の開閉操作力を軽減するための助勢装置であって、
前記蓋体の枢軸側に位置する前記開口の内側面に、当該内側面との間に上下方向の挿入用間隙を形成するように固着される取付金具と、
前記挿入用間隙に抜き差し自在の挿入板部と、この挿入板部の上部に設けられるブラケットと、このブラケットに架設される支持軸とを備える支持金具と、
前記支持軸に枢支される基端側のコイル部と、このコイル部から前記開口の内方へ延出し先端部において前記蓋体の下面に上向きに圧接される押し上げ部とを有する付勢金具とを具備し、
前記付勢金具は、1本のばね鋼線材を屈曲させてなり、前記コイル部は、前記支持軸を取り巻くように両端に一対形成され、前記押し上げ部は、コイル部から支持軸に対して直交する方向に互いに平行に延出するアーム部と、このアーム部の先端間を接続する軸部とを具備し、
前記支持金具のブラケットには、前記付勢金具のコイル部の自由端を係止する係止ピンが設けられることを特徴とする溝用蓋体の開閉助勢装置。
【請求項２】
前記付勢金具の軸部には、前記蓋体の下面を転動可能なローラが支持されることを特徴とする請求項１に記載の溝用蓋体の開閉助勢装置。
【請求項３】
前記支持金具の係止ピンは、前記付勢金具の助勢力を変更するために、前記ブラケット上に位置変更可能に設けられることを特徴とする請求項１又は２に記載の溝用蓋体の開閉助勢装置。
【請求項４】
前記付勢金具のアーム部は、前記蓋体の下面から徐々に離れる方向にコイル部から直線的に延出し、屈折部を介して再び蓋体の下面へ徐々に接近する方向に直線的に延出することを特徴とする請求項１ないし３のいずれかに記載の溝用蓋体の開閉助勢装置。
【請求項５】
前記付勢金具は、前記蓋体が起立状態にあるときに自然状態になるように設けられることを特徴とする請求項１ないし４のいずれかに記載の溝用蓋体の開閉助勢装置を用いた溝用蓋構造。
【発明の詳細な説明】
【技術分野】
【０００１】
本発明は、側溝や暗渠或いは流雪溝等溝の開口を開閉するために当該開口に枢支される蓋体を開閉する際の操作力を軽減するための助勢装置及びこれを用いた溝用蓋構造に関する。
【背景技術】
【０００２】
側溝、暗渠、流雪溝の開口部の蓋は、鋼製のグレーチングで構成されるため、大重量となり、開閉作業が容易でない。このため、地面に設けられた溝の蓋を開閉する際の作業性を向上させる溝用蓋の構造が特許文献１に提案されている。この蓋構造は、溝の開口面を覆う蓋を当該溝に対して起立させる向きに弾発付勢しかつ傾動自在に支持するトーションバーを有する。トーションバーは、蓋の周縁部の一端に配設され、それの軸線方向一端部が溝側に固定され、蓋に対しては回動自在に枢支される。トーションバーの軸線方向の他端部は、蓋に固定され、かつ溝側に対しては回動自在に枢支される。
【先行技術文献】
【特許文献】
【０００３】
【特許文献１】特開平９−２７３１６７号公報
【発明の概要】
【発明が解決しようとする課題】
【０００４】
上記従来の蓋構造は、既設の蓋体に容易に後付けすることができない。トーションバーは、個々に助勢力を調整することができないし、比較的大型で、高価であって、設置コストがかさむ難点がある。
したがって、本発明は、上記従来のものとは異なる構造により、既設の蓋体に容易に後付けすることができると共に、着脱が自在で、助勢力を容易に調整することができる溝用蓋体の開閉助勢装置を提供することを目的としている。
【課題を解決するための手段】
【０００５】
以下添付図面の符号を付して説明するが、本発明はこれに限定されるものではない。
上記課題を解決するための、本発明の溝用蓋体の開閉助勢装置１は、開口の内側面に固着される取付金具２と、これに着脱自在に支持される支持金具３と、これに支持される付勢金具７とを具備する。取付金具２は、蓋体Ｇ１の枢軸Ｇ３側に位置する開口の内側面に、当該内側面のとの間に上下方向の挿入用間隙Ｓを形成するように固着される。支持金具３は、挿入用間隙Ｓに抜き差し自在の挿入板部４と、この挿入板部４の上部に設けられるブラケット５と、このブラケット５に架設される支持軸６とを備える。付勢金具７は、支持軸６に枢支される基端側のコイル部８と、このコイル部８から開口の内方へ延出し、先端部において蓋体Ｇ１の下面に上向きに圧接される押し上げ部９とを有する。付勢金具７は、1本のばね鋼線材を屈曲させてなり、コイル部８は、支持軸６を取り巻くように、両端に一対形成され、押し上げ部９は、コイル部８から支持軸６に対して直交する方向に互いに平行に延出するアーム部９ａと、このアーム部９ａの先端間を接続する軸部９ｂとを具備する。支持金具３のブラケット５には、付勢金具７のコイル部８の自由端を係止する係止ピン５ａが設けられる。
【発明の効果】
【０００６】
本発明の溝用蓋体の開閉助勢装置においては、既設の蓋体に容易に後付けすることができると共に、必要に応じて着脱が自在で、助勢力を容易に調整することができるという効果を有する。
【図面の簡単な説明】
【０００７】
【図１】本発明に係る開閉助勢装置の設置状態の斜視図である。
【図２】図1の開閉助勢装置の分離状態の斜視図である。
【図３】図1の開閉助勢装置の正面図である。
【図４】図1の開閉助勢装置の平面図である。
【図５】図１の開閉助勢装置の側面図である。
【発明を実施するための形態】
【０００８】
以下、図面を参照して本発明の実施形態を説明する。
図１から図５において、開閉助勢装置１は、側溝等の溝の開口部の側壁Ｗに装着され、開口部に設置された受け枠Ｇ２上に開閉可能に枢着された蓋体であるグレーチングＧ１の開閉操作を助勢するものである。開閉助勢装置１は、受け枠Ｇ２下部であって、グレーチングＧ１のヒンジＧ３側の内壁面に固定される取付金具２と、グレーチングＧ１の下方に位置して取付金具２に装着される支持金具３と、これに支持される付勢金具７とを具備する。
【０００９】
取付金具２は、鋼板材からなり、両端部に、側壁Ｗにボルト止めするための固定部２ｂ，２ｂを有し、これから立ち上がって壁面との間に間隙Ｓを形成するポケット部２ａを有する。
【００１０】
支持金具３は、取付金具２のポケット部２ａに上方から差し込み可能な挿入板部４と、この挿入板部４の上部の左右から直角に屈折して前方へ突出するブラケット５と、このブラケット５に水平に支持される支持軸６とを具備する。支持軸６は、グレーチングＧ１の枢軸Ｇ３と平行に配置され、ボルト１１で固定される。ボルト１１を緩めて支持軸６を抜けば、付勢金具７の交換が可能である。
【００１１】
付勢金具７は、基端側一対のコイル部８と、両コイル部８，８間に直交方向に延出する押し上げ部９とを有する。すなわち、付勢金具７は、１本のばね鋼線材を屈曲させてなり、コイル部８は、支持軸６を取り巻くように両端に一対形成される。押し上げ部９は、コイル部８から開口の内方へ延出し、先端部においてグレーチングＧ１の下面に上向きに圧接される。押し上げ部９は、アーム部９ａと軸部９ｂとを具備する。アーム部９ａは、コイル部８から支持軸６に対して直交する方向に互いに平行に延出する。すなわち、アーム部９ａは、グレーチングＧ１の下面から徐々に離れる方向にコイル部８から直線的に延出し、屈折部を介して再びグレーチングＧ１の下面へ徐々に接近する方向に直線的に延出する。軸部９ｂは、アーム部９ａの先端間を接続し、これにローラ１０が装着される。
【００１２】
付勢金具７のコイル部８の自由端は、支持金具のブラケット５，５間に架設される係止ピン５ａに係止される。ブラケット５には、支持軸６周りの異なった角度位置に２つのピン受け孔５ｂが形成され、選択的にいずれかのピン受け孔５ｂに係止ピン５ａが架設される。係止ピン５ａをいずれのピン受け孔５ｂに支持するかにより、これに係止されるコイル部８の付勢力を選択することができる。
【００１３】
付勢金具７は、グレーチングＧ１が、図１に示す起立状態にあるときに自然状態になるように設けることができるが、これに限定されない。このように、グレーチングＧ１が上がり勝手の場合には、これを閉じた状態で施錠することになる。
【００１４】
予め開口の側壁Ｗに固定された取付金具２のポケット部２ａに支持金具３の挿入板部４を差し込むことで、必要に応じて開閉助勢装置１を構成することができる。グレーチングＧ１を開放するとき、付勢金具７がグレーチングＧ１を押し上げるので、操作力が軽減される。グレーチングＧ１の開放動作に伴い、ローラ１０がグレーチングＧ１の縦桟の下面を転動するので、摺動抵抗が小さく、開放が円滑に行われる。付勢金具７の助勢力は、例えばグレーチングＧ１の重量に応じて、係止ピン５ａを装着するピン受け孔５ｂを選択することにより変更できる。支持金具３は、ポケット部２ａに抜き差し自在であるから、必要に応じて適宜着脱が可能である。
【符号の説明】
【００１５】
１    開閉助勢装置
２    取付金具
２ａ  ポケット部
２ｂ  固定部
３    支持金具
４    挿入板部
５    ブラケット
５ａ  係止ピン
５ｂ  ピン受け孔
６    支持軸
７    付勢金具
８    コイル部
９    押し上げ部
９ａ  アーム部
１０  ローラ
１１  ボルト
Ｇ１  グレーチング（蓋体）
Ｇ２  受け枠
Ｇ３  枢軸
【図１】
0005452657.tif 000002
【図２】
0005452657.tif 000003
【図３】
0005452657.tif 000004
【図４】
0005452657.tif 000005
【図５】
0005452657.tif 000006